(57)【要約】【課題】  エレベーター用カゴ室の天井部と壁部を安全かつ容易に組立することが可能なエレベーター用カゴ室を提供する。【解決手段】  エレベーター用カゴ室を、床盤外周上に立接される壁部２、壁部２で囲まれたカゴ室の上部を覆う天井部１、壁部２の外周上端部に沿って形成され、天井部１を載置するための天井部載置面部２ｂが設けられた壁部外周上端部１ａ、天井部載置面部２ｂに固定され、天井部１側に突き出す突起部分を有する位置合わせ部材、天井部外周に沿って形成され、天井部載置面２ｂに対向するように、位置合わせ部材と嵌合する溝部が設けられた天井部外周端部１ｂ、天井部１と壁部２とを固定する固定装置を備えた構造とし、天井部1を壁部２上に載置する際に、溝部（１ａ）を位置合わせ部材（３）に嵌合させて位置合わせし、位置ズレを防止した上で、固定装置（４）によって天井部１と壁部２とを固定する。【選択図】図２
2005145574.tif 000002
【特許請求の範囲】
【請求項１】
エレベーター用カゴ室の床盤外周上に立接される壁部、上記壁部で囲まれたカゴ室の上部を覆う天井部、上記壁部の外周上端部に沿って形成され、上記天井部を載置するための天井部載置面部が設けられた壁部外周上端部、上記天井部載置面部に固定され、上記天井部側に突き出す突起部分を有する位置合わせ部材、上記天井部外周に沿って形成され、上記天井部載置面に対向するように、上記位置合わせ部材と嵌合する溝部が設けられた天井部外周端部、上記天井部と上記壁部とを固定する固定装置を備えたことを特徴とするエレベーター用カゴ室。
【請求項２】
上記固定装置は、先端に掛け爪部分を有する掛け止め部と、その掛け止め部の終端および上記壁部の外側面に対して回動自在に取り付けられたレバー部により構成され、上記掛け爪部分を上記天井部外周端部に引っ掛けた状態で、上記レバー部を押し下げて上記天井部と上記壁部を固定することを特徴とする請求項１記載のエレベーター用カゴ室。
【請求項３】
エレベーター用カゴ室を構成する壁部の外周上端部に上側に突き出す突起部分を有する位置合わせ部材を固定する工程、上記カゴ室の上部を覆い、上記位置合わせ部材に嵌合する溝部を有する天井部を、上記壁部の外周上端部上に載置し、上記位置合わせ部材と上記溝部とを嵌合させる工程、上記壁部の外側面に固定された固定装置により、上記天井部と上記壁部を固定する工程を含むエレベーター用カゴ室の天井部と壁部との固定方法。
【発明の詳細な説明】
【技術分野】
【０００１】
この発明は、エレベーター用カゴ室の構造および、そのカゴ室を構成する天井部と壁部との固定方法に関するものである。
【背景技術】
【０００２】
従来のエレベーター用カゴ室は、その天井部と壁部がボルトやナットによって締め付け固定されていた（例えば、特許文献１参照。）。
【０００３】
【特許文献１】特開平１０−２３１０７８号公報
【発明の開示】
【発明が解決しようとする課題】
【０００４】
上記のような従来のエレベーター用カゴ室の構造では、カゴ室の壁幅に合わせて天井部に締結のための穴あけを行う必要があり、また、一枚の壁に対して複数個のボルトで固定する必要があるために、カゴ室組立作業には多くの時間を必要としていた。
さらに、近年の省スペース化によって、昇降路スペースが縮小される傾向にあり、カゴ室組立作業のための十分なスペースを確保しにくいという問題があった。
【０００５】
この発明は、上記のような問題点を解消するためになされたもので、カゴ室の天井部と壁部とを固定する際に、その都度行っていた締結用の穴あけの設計およびボルト用の穴あけ工程を省くとともに、エレベーターのカゴ室組み立て作業者が限られた作業スペース内で、安全かつ容易に作業を行うことが可能となるエレベーター用カゴ室、およびその天井部と壁部との固定方法を提供することを目的とする。
【課題を解決するための手段】
【０００６】
この発明に係わるエレベーター用カゴ室は、エレベーター用カゴ室の床盤外周上に立接される壁部、上記壁部で囲まれたカゴ室の上部を覆う天井部、上記壁部の外周上端部に沿って形成され、上記天井部を載置するための天井部載置面部が設けられた壁部外周上端部、上記天井部載置面部に固定され、上記天井部側に突き出す突起部分を有する位置合わせ部材、上記天井部外周に沿って形成され、上記天井部載置面に対向するように、上記位置合わせ部材と嵌合する溝部が設けられた天井部外周端部、上記天井部と上記壁部とを固定する固定装置を備えたものである。
【０００７】
また、この発明に係わるエレベーター用カゴ室は、上記のような構成において、上記固定装置は、先端に掛け爪部分を有する掛け止め部と、その掛け止め部の終端および上記壁部の外側面に対して回動自在に取り付けられたレバー部により構成され、上記掛け爪部分を上記天井部外周端部に引っ掛けた状態で、上記レバー部を押し下げて上記天井部と上記壁部を固定するものである。
【０００８】
さらに、この発明に係わるエレベーター用カゴ室の天井部と壁部との固定方法は、エレベーター用カゴ室を構成する壁部の外周上端部に上側に突き出す突起部分を有する位置合わせ部材を固定する工程、上記カゴ室の上部を覆い、上記位置合わせ部材に嵌合する溝部を有する天井部を、上記壁部の外周上端部上に載置し、上記位置合わせ部材と上記溝部とを嵌合させる工程、上記壁部の外側面に固定された固定装置により、上記天井部と上記壁部を固定する工程を含むものである。
【発明の効果】
【０００９】
この発明のエレベーター用カゴ室によれば、エレベーター用カゴ室の床盤外周上に立接される壁部、上記壁部で囲まれたカゴ室の上部を覆う天井部、上記壁部の外周上端部に沿って形成され、上記天井部を載置するための天井部載置面部が設けられた壁部外周上端部、上記天井部載置面部に固定され、上記天井部側に突き出す突起部分を有する位置合わせ部材、上記天井部外周に沿って形成され、上記天井部載置面に対向するように、上記位置合わせ部材と嵌合する溝部が設けられた天井部外周端部、上記天井部と上記壁部とを固定する固定装置を備えたため、カゴ室の組み立てにおいて、天井部を壁部上に載置する際に、溝部を位置合わせ部材に嵌合させて位置合わせすることができ、位置ズレを防止でき、安全に組立作業を行うことが可能となる。
【００１０】
また、この発明のエレベーター用カゴ室によれば、天井部と壁部との固定に用いる固定装置が、先端に掛け爪部分を有する掛け止め部と、その掛け止め部の終端および上記壁部の外側面に対して回動自在に取り付けられたレバー部により構成され、上記掛け爪部分を上記天井部外周端部に引っ掛けた状態で、上記レバー部を押し下げて上記天井部と上記壁部を固定するため、固定作業が容易となり、組立作業性を向上させることが可能となる。
【００１１】
さらに、この発明のエレベーター用カゴ室の天井部と壁部との固定方法によれば、天井部と壁部が接する部分に、それぞれ溝部と位置合わせ部材を設けておき、それぞれを嵌合させることで、壁部上に天井部を載置する際の位置合わせを効率良く行え、さらに、位置ズレを防止することで作業者の安全性を確保することができる。
【発明を実施するための最良の形態】
【００１２】
実施の形態１．
図１はこの発明の実施の形態１であるエレベーター用カゴ室の部分側面図であり、カゴ室天井部（天井部）１とカゴ室壁部（壁部）２との接合部分を示している。また、図２は図１のII−II断面図である。
エレベーター用カゴ室は、一般的にはその形状は内部が空間となった直方体の形状をしており、壁部２は、矩形状の床盤の外周上に立接され、その壁部２で囲まれたカゴ室の上部を覆うように天井部１が配置されている。
【００１３】
図１および図２に示すように、壁部２の外周上端部に沿って、天井部１を載置するための天井部載置面部２ｂが設けられた壁部外周上端部２ａが形成されており、天井部載置面部２ｂには、位置合わせ部材に相当する特殊ナット３が固定されている。特殊ナット３は、天井部１側（上側）に突き出す突起部分を有している。
天井部１には、その外周に沿って、壁部２の天井部載置面部２ｂに対向するように、特殊ナット３と嵌合させるためのナット嵌合用溝部（溝部）１ａが設けられた天井部外周端部１ｂが形成されている。
【００１４】
また、天井部１と壁部２とは固定装置であるストッパー４によって固定されている。ストッパー４は、その先端に掛け爪部分４ｃを有する掛け止め部４ａと、その掛け止め部４ａの終端（締結時に下側になる端部。）および壁部２の外側面に対して回動自在に取り付けられたレバー部４ｂにより構成されている。壁部２の外側面には、固定部品５ａが、外側に突き出す状態となるように固定されており、その固定部品５ａに対してレバー部４ｂが回動するように取り付けられている（その取り付け位置はレバー部４ｂの上部とする。）。さらに、掛け止め部４ａの終端に固定部品５ｂが固定されており、その固定部品５ｂに対してレバー部４ｂが回動するように取り付けられている（その取り付け位置はレバー部４ｂの中間的な位置とする。）。さらに、壁部２外側面に固定されたストッパー外れ防止装置６によって、レバー部４ｂの位置を固定し、締結状態を保持することができるように構成されている。
【００１５】
次に、エレベーター用カゴ室の組み立て手順について説明する。
まず、壁部２の外周上端部２ｂに、天井部載置面部２ｂから突起部分が上側に突き出すように特殊ナット３を固定する。この特殊ナット３は、締結のために用いるのではなく、位置合わせに用いるため、従来の締結に用いる個数よりも少ない数だけ配置すれば良く、壁部２の一辺に対して１個または数個程度で良い。また、ここでは特殊ナット３を位置合わせ部材として用いる例を示したが、それは一例であって、突起部分を有する他の部材を用いることが可能であることは言うまでもない。
次に、天井部１を壁部外周上端部２ａ上に載置し、あらかじめ天井部１の外周端部１ｂに形成していたナット嵌合用溝部１ａと、壁部２側の特殊ナット３とを嵌合させて位置合わせを行う。
【００１６】
次に、図２の破線で示す状態にあるように、壁部２の外側面に取り付けられたストッパー４の掛け爪部分４ｃを、天井部外周端部１ｂに引っ掛け（この例では、掛け爪部分４ｃを引っ掛けるための凹部は、天井部外周端部１ｂに形成したナット嵌合用溝部１ａの底部と天井部１本体との間に生じる隙間を利用する。天井部外周端部１ｂの別の箇所に掛け爪部分４ｃを引っ掛けるための凹部またはそれに準じる部分を別途形成しても良い。）、その状態で、レバー部４ｂを矢印方向に押し下げて壁部２の壁面に沿わせ、天井部１を壁部２側に締結固定する（図２に実線で示す状態が締結状態である。）。さらに、ストッパー外れ防止装置６によって、レバー部４ｂを動かないように固定し、ストッパー４の外れを防止する。
【００１７】
次に、図３に比較例として、従来の方法によって固定された天井部１と壁部２の断面図を示す。天井部外周端部１ｃには溝部に相当する部分が形成されておらず、単にボルト１０を通すための穴（図示せず。）があけられているだけであり、壁部２上に天井部１を載置した段階では位置合わせが難しい。また、ボルト１０とそれに嵌合する特殊ナット３とによって天井部１と壁部２の締結を図るため、必要となる強度を得るために、カゴ室の規模に応じた数のボルト１０や特殊ナット３を締め付け固定する必要があり、図１および図２で示したカゴ室よりもその組立作業性が悪いことが伺える。
【００１８】
なお、図１、図２において固定装置として示したストッパー４の構造は一例であり、天井部１と壁部２とを容易かつ迅速に固定可能な別の固定装置（締結後においては容易に外れない構造のもの。）を用いることも可能である。
【００１９】
実施の形態２．
次に、この発明の実施の形態２について図４を参照して説明する。図４は、エレベーター用カゴ室の天井部１と壁部２との接合部分の部分断面図を示している。
上述した実施の形態１では、天井部１と一体構造である天井部外周端部１ｂを加工することで直接的にナット嵌合用溝部１ａを設け、また、壁部２と一体構造である壁部外周上端部２ａによって天井部載置面部２ｂを構成し、さらに位置合わせ部材として特殊ナット３を用いる例を示した。
【００２０】
この実施の形態２では、天井部外周端部１ｄの壁部２と接する側の面に、天井部１とは別体である削り加工の板７を固定して用いている。この削り加工の板７における壁部２との接触面には、壁部２側の位置合わせ部材と嵌合させるための溝部７ａが設けられている。また、天井部外周端部１ｄの最端部には、上側に突き出した折り返し部分１ｅが形成されており、ストッパー４の掛け爪部分４ｄが引っ掛かるように構成されている。
【００２１】
また、壁部２の外周上端部には、壁面から外側に突き出す状態に、壁部２とは別体である天井固定用部品（壁部外周上端部に相当する部分となる。）２ｃが固定され、その上面が天井部載置面部２ｄとなっている。さらに天井部載置面部２ｄには、上側に向って突出する位置合わせ部材８が固定されている。位置合わせ部材８としては、先述の特殊ナット３やムク材等を用いることができる。
このようなカゴ室の構造としても、天井部１と壁部２との組立の際に、位置合わせ部材８と溝部７ａとを嵌合させて位置合わせでき、また、ストッパー４によって容易に天井部１を壁部２側に固定することができるため、エレベーターのカゴ室組立作業者が安全かつ容易に組立作業を行うことが可能となる。
【図面の簡単な説明】
【００２２】
【図１】この発明の実施の形態１におけるエレベーター用カゴ室を示す部分側面図である。
【図２】この発明の実施の形態１におけるエレベーター用カゴ室の天井部と壁部との接合部分を示す図１のII−II断面図である。
【図３】比較例として挙げたエレベーター用カゴ室の断面図である。
【図４】この発明の実施の形態２におけるエレベーター用カゴ室の天井部と壁部との接合部分を示す部分断面図である。
【符号の説明】
【００２３】
１  カゴ室天井部                      １ａ  ナット嵌合用溝部
１ｂ、１ｃ、１ｄ  天井部外周端部      １ｅ  折り返し部分
２  カゴ室壁部                        ２ａ  壁部外周上端部
２ｂ、２ｄ  天井部載置面部            ２ｃ  天井固定用部品
３  特殊ナット                        ４  ストッパー
４ａ  掛け止め部                      ４ｂ  レバー部
４ｃ、４ｄ  掛け爪部分                ５ａ、５ｂ  固定部品
６  ストッパー外れ防止装置            ７  削り加工の板
７ａ  溝部                            ８  位置合わせ部材
１０  ボルト。
【図１】
2005145574.tif 000003
【図２】
2005145574.tif 000004
【図３】
2005145574.tif 000005
【図４】
2005145574.tif 000006